(57)【要約】本開示は、移動端末に関するものであり、表示モジュールの下方に位置する光学素子の機能を向上させる。前記移動端末は、光学素子、表示モジュールと光反射防止膜を含み、表示モジュールは、光学素子の上方に位置し、光反射防止膜は、表示モジュールに位置し、光学素子に対応する。本開示の技術案は、表示モジュールの下方に位置する光学素子の機能を向上させる。【選択図】図４
2021509964.tif 000002
【特許請求の範囲】
【請求項１】
光学素子、表示モジュール及び光反射防止膜を含む移動端末であって、
前記表示モジュールは、前記光学素子の上方に位置し、
前記光反射防止膜は、前記表示モジュールに位置して前記光学素子に対応することを特徴とする移動端末。
【請求項２】
前記表示モジュールは、表示画面及び保護層を含み、
前記表示画面は前記光学素子の上方に位置し、前記保護層は前記表示画面の上方に位置することを特徴とする請求項１に記載の移動端末。
【請求項３】
前記光反射防止膜は、前記保護層の前記表示画面と反対する表面に位置することを特徴とする請求項２に記載の移動端末。
【請求項４】
前記光反射防止膜は、前記表示画面の光学素子に向かう表面に位置することを特徴とする請求項２に記載の移動端末。
【請求項５】
前記表示モジュールは、透明接着層をさらに含み、
前記透明接着層は、前記表示画面と前記保護層との間に位置することを特徴とする請求項２に記載の移動端末。
【請求項６】
前記透明接着層の屈折率と前記保護層の屈折率との差の値が０．１より大きく、前記の保護層と前記透明接着層との間に前記光反射防止膜が備えられることを特徴とする請求項５に記載の移動端末。
【請求項７】
前記透明接着層の屈折率と前記表示画面の屈折率との差の値が０．１より大きく、前記表示画面と前記透明接着層との間に前記光反射防止膜が備えられることを特徴とする請求項５に記載の移動端末。
【請求項８】
前記表示画面は、少なくとも２層の媒体層を含み、
前記少なくとも２層の媒体層のうち、屈折率の差の値が０．１より大きい、互いに隣接する２層の媒体層の間に前記光反射防止膜が備えられることを特徴とする請求項２に記載の移動端末。
【請求項９】
前記光反射防止膜の面積は、前記光学素子が前記表示モジュールに投影した面積の以上であることを特徴とする請求項１に記載の移動端末。
【請求項１０】
前記光反射防止膜は、少なくとも２層のサブフィルム層を含み、前記少なくとも２層のサブフィルム層はそれぞれ波長範囲が異なる光に対して反射防止することを特徴とする請求項１に記載の移動端末。
【請求項１１】
前記光反射防止膜の材料はフッ化カルシウム、酸化チタン、硫化鉛、セレン化鉛、セラミック赤外線反射防止フィルムまたはビニルシルセスキオキサンハイブリッドフィルムを含むことを特徴とする請求項１に記載の移動端末。
【請求項１２】
前記保護層は、ガラスカバープレートまたは柔軟性カバー膜であることを特徴とする請求項２に記載の移動端末。
【請求項１３】
前記柔軟性カバー膜はポリイミド薄膜を含むことを特徴とする請求項１２に記載の移動端末。
【発明の詳細な説明】
【技術分野】
【０００１】
本願は２０１８年１１月１９日に提出した中国専利出願ＣＮ２０１８１１３７９１０５．７号の優先権を主張し、上記中国専利出願全ての内容を本願に引用して参考とする。
【０００２】
本開示は、端末の技術分野に関するものであり、特に移動端末に関するものである。
【背景技術】
【０００３】
フルスクリーン技術が発展するに伴い、将来には、カメラや環境光検出などの光学素子は、表示画面の下方に配置される必要がある。これらの光学素子の入力信号は、外界の光である。したがって、外界の光が表示画面を透過して、これらの光学素子に到達する光のエネルギーと品質は、光学素子の機能にたいて直接的に影響を与えることができる。したがって、表示画面の下方に位置する光学素子の機能をどのように向上させるかは、解決すべき技術的な問題である。
【発明の概要】
【発明が解決しようとする課題】
【０００４】
関連技術の問題を解決するために、本開示の実施例では、表示モジュールの下方に位置する光学素子の機能を向上させる移動端末を提供する。
【課題を解決するための手段】
【０００５】
本開示の実施例の第一方面によると、光学素子、表示モジュールと光反射防止膜を含む移動端末であって、
前記表示モジュールは、前記光学素子の上方に位置して、
前記光反射防止膜は、前記表示モジュールに位置して前記光学素子に対応される。
【０００６】
一実施例において、前記表示モジュールは、表示画面と保護層を含み、
前記表示画面は、前記光学素子の上方に位置し、前記保護層は、前記表示画面の上方に位置する。
【０００７】
一実施例において、前記光反射防止膜は、前記保護層の前記表示画面と反対する表面に位置する。
【０００８】
一実施例において、前記光反射防止膜は、前記表示画面の光学素子に向かう表面に位置する。
【０００９】
一実施例において、前記表示モジュールは、透明接着層をさらに含み、
前記透明接着層は、前記表示画面と前記保護層との間に位置する。
【００１０】
一実施例において、前記透明接着層の屈折率と前記保護層の屈折率との差の値が０．１より大きく、前記の保護層と前記透明接着層との間に前記光反射防止膜が備えられる。
【００１１】
一実施例において、前記透明接着層の屈折率と前記表示画面の屈折率との差の値が０．１より大きく、前記表示画面と前記透明接着層との間に前記光反射防止膜が備えられる。
【００１２】
一実施例において、前記表示画面は、少なくとも２層の媒体層を含み、
前記少なくとも２層の媒体層のうち、屈折率の差の値が０．１より大きい、互いに隣接する２層の媒体層の間に前記光反射防止膜が備えられる。
【００１３】
一実施例において、前記光反射防止膜の面積は、前記光学素子が前記表示モジュールに投影した面積の以上である。
【００１４】
一実施例において、前記光反射防止膜は、少なくとも２層のサブフィルム層を含み、前記少なくとも２層のサブフィルム層はそれぞれ波長範囲が異なる光に対して反射防止する。
【００１５】
一実施例において、前記光反射防止膜の材料はフッ化カルシウム、酸化チタン、硫化鉛、セレン化鉛、セラミック赤外線反射防止フィルムまたはビニルシルセスキオキサンハイブリッドフィルムを含んでいる。
【００１６】
一実施形態において、前記保護層は、ガラスカバープレートまたは柔軟性カバー膜である。
【００１７】
一実施例において、前記柔軟性カバー膜はポリイミド薄膜を含んでいる。
【００１８】
本開示の実施例で提供される技術案は下記のような有益な効果を得ることができる。
【００１９】
光学素子の上方に位置する表示モジュールに光反射防止膜を設けることにより、表示モジュールを透過して、表示モジュールの下方に位置する光学素子に到達する光のエネルギーと品質を向上させることができ、光学素子から発射された光が表示モジュールを透過するエネルギーと品質を向上させることができる。したがって、本開示の実施例の技術案は、表示モジュールの下方に位置する光学素子の機能を向上させることができる。
【００２０】
理解すべきことは、上記の一般的な説明と後述する詳細な説明は、単に例示的で解釈的なものであり、本開示を限定するものではない。
【図面の簡単な説明】
【００２１】
ここの図面は、明細書に併合されて明細書の一部を構成し、本発明に合致する実施例を示し、明細書と一緒に本発明の原理を解釈する。
【図１】関連技術による移動端末の構造例示図である。
【図２】関連技術による光路の例示図である。
【図３】一例示的な実施形態による移動端末の構造例示図である。
【図４】一例示的な実施形態による移動端末の横断面の例示図である。
【図５】他の例示的な実施形態による移動端末の横断面の例示図である。
【図６】他の例示的な実施形態による移動端末の横断面の例示図である。
【図７】他の例示的な実施形態による移動端末の横断面の例示図である。
【発明を実施するための形態】
【００２２】
以下、例示的な実施例について詳細に説明し、その実施例を図面に表示する。図面について説明するとき、別の説明がない場合、異なる図面での同じ数は同一なまたは類似する要素を表示する。以下、例示的な実施例で説明する実施方式は、本発明と一致するすべての実施方式を代表するものではない。逆に、これは添付されている請求の範囲に記載される本発明の一方面と一致する装置及び方法の一例に過ぎない。
【００２３】
関連技術において、携帯電話のフルスクリーンの技術がますます強く発展するに伴い、将来的には、カメラや環境光検出などの光学素子１１は、表示画面１２の下方に配置される必要がある。具体的には図１に示されている。ここで、表示画面１２の上方には保護層１３が備えられ、保護層１３は、ガラスカバープレートまたは保護膜等であることができる。これらの光学素子１１の入力信号は外界の光である。したがって、外界の光が表示画面１２を通って、これらの光学素子１１に到達するエネルギーと品質は、光学素子１１の機能に直接的に影響を与えることができる。
【００２４】
例えば、入射光Ｑが光学素子１１に進入する経路は、図２図示されたようです。入射光Ｑは、保護層１３の上下面で反射され、反射光Ｐのエネルギーは失われて、光学素子１１に進入することができない。また、入射光Ｑの一部のエネルギーは、保護層１３と表示画面１２によって吸収され、光学素子１１に進入することができない。したがって、光学素子１１の有用な光Ｅのエネルギーは、入射光のエネルギーから反射光のエネルギーと保護層と表示画面によって吸収された光のエネルギーを差し引いたエネルギーである。
【００２５】
ここで、反射光は、空気と保護層１３の屈折／反射によって形成される。保護層１３がガラスカバープレートであって、典型的なガラスの屈折率ｎガラスは１．５であり、反射率Ｒガラスは（ｎガラス−Ｎ空気）２／（Ｎガラス＋  Ｎ空気）２である場合、反射率Ｒガラスは４％である。入射光Ｑが、空気から保護層１３に進入して、保護層１３から空気に進入されるので、光学素子１１に進入される過程で、少なくとも２回の反射が発生する。したがって、約８％の入射光は、反射によって失われる。
【００２６】
本開示の実施例は、移動端末を提供し、前記技術的な問題を解決し、表示モジュールの下方に位置する光学素子の機能を向上させることができる。
【００２７】
図３は、一例示的な実施形態による移動端末１００の構造例示図である。移動端末１００は、ケーシング１４と表示モジュール１７を含む。表示モジュール１７はケーシング１４内に位置する。ここで、表示モジュール１７は、透明な保護層１３と保護層１３の下方に位置する表示画面１２を含む。表示画面１２から発射された光は、保護層１３を透過することができる。表示画面１２は、透明な保護層１３を介して見える。表示画面１２は、例えば、ＯＬＥＤ表示画面であることができるが、これに限定されない。ここで、移動端末１００が直立式移動端末である場合には、保護層１３はガラスカバープレートであることができる。移動端末１００が折り畳み可能なフレキシブルスクリーンの移動端末である場合には、保護層１３は、柔軟性カバー膜であることができる。柔軟性カバー膜はポリイミド（ＰＩ）薄膜を含むことができる。
【００２８】
図４〜図７は、本開示の実施形態に係る移動端末の横断面を表示する例示図である。図４〜図７に示すように、本開示の実施形態の移動端末１００は、光学素子１１と光反射防止膜（Ａｎｔｉ−Ｒｅｆｌｅｃｔｉｖｅ  ｃｏａｔｉｎｇ，  ＡＲ）１５をさらに含むことができる。
【００２９】
図４〜図７に示すように、表示モジュール１７は、光学素子１１の上方に位置する。光反射防止膜１５は、表示モジュール１７に位置して光学素子１１に対応する。ここで、光反射防止膜１５が表示モジュール１７に位置するのは、次のような状況を含む。つまり、光反射防止膜１５が、表示モジュール１７の光学素子１１と反対する表面に位置することと、光反射防止膜１５が、表示モジュール１７の光学素子１１に向かう表面に位置することと、光反射防止膜１５が、表示モジュール１７の内部に位置することを含む。
【００３０】
一実施形態において、光学素子１１は、イメージセンサー（カメラ）、環境光素子、３Ｄ距離センサーまたは指紋センサーであることができる。ここで、３Ｄ距離センサーは、３Ｄ構造の光学素子であることができ、３Ｄ構造の光学素子は、赤外線レンズ（赤外線エミッタ）、投光検出素子（ｆｌｏｏｄ  ｃａｍｅｒａ）またはラティスプロジェクターであることができる。一実施形態において、光学素子１１の数は複数個であることができる。
【００３１】
ただし、本開示の実施例において、前記の「上方」は、光学素子１１から表示モジュール１７に向かう方向を指す。
【００３２】
本開示の実施例において、光学素子の上方に位置する表示モジュールに光反射防止膜を設けることにより、表示モジュールを透過して表示モジュールの下方に位置する光学素子に到達する光のエネルギーと品質を向上させることができ、また光学素子から発射された光が表示モジュールを透過するエネルギーと品質も向上させることもできる。したがって、本開示の実施例の技術案によれば、表示モジュールの下方に位置する光学素子の機能を向上させることができる。
【００３３】
一実施例において、図４に示すように、表示モジュール１７は、表示画面１２と保護層１３を含むことができる。表示画面１２は、光学素子１１の上方に位置し、保護層１３は、表示画面１２の上方に位置する。
【００３４】
一実施例において、図４に示すように、光反射防止膜１５は、保護層１３の表示画面１２と反対する表面に位置する。例えば、外界からの入射光が光反射防止膜１５に進入した後、光反射防止膜１５の保護層１３と反対する表面（上表面）と光反射防止膜１５の保護層１３に向かう表面（下表面）で反射される光が干渉されて、互いにオフセットされ、光反射防止膜１５の上表面に向かって見たとき、反射光が見えない。その理由は、エネルギー保存により、すべての入射光は保護層１３を透過したからである。したがって、保護層１３の上表面に光反射防止膜１５を設置することにより、保護層１３を透過する光のエネルギーと品質を向上させることができ、さらに、表示モジュールを透過して表示モジュールの下方に位置する光学素子に進入した光のエネルギーと品質を向上させることができる。
【００３５】
一実施例において、図４に示すように、光反射防止膜１５は、表示画面１２の光学素子１１に向かう表面に位置する。例えば、光学素子１１から光が発射される場合、光学素子１１から発射された光が光反射防止膜１５に進入した後、光反射防止膜１５の表示画面１２と反対する表面（下表面）と光反射防止膜１５の表示画面１２に向かう表面（上表面）で反射される光が干渉されて、互いにオフセットされ、光反射防止膜１５の下表面に向かって見たとき、反射光が見えない。その理由は、エネルギー保存により、光学素子１１から発射されたすべての光が表示画面１２を透過したからである。したがって、表示画面１２の下表面に光反射防止膜１５を設置することにより、光学素子から発射されて表示画面１２を透過する光のエネルギーと品質を向上させることができる。
【００３６】
ただし、光反射防止膜１５が、光に対して反射防止するのは波長の選択性を有している。具体的には、光反射防止膜１５の厚さの相違に基づいて反射防止される光の波長も異なる。例えば、光反射防止膜１５の厚さが赤色光の波長の１／４の奇数倍である場合、光反射防止膜の２つの表面で反射される赤色光は干渉されてオフセットされ、光反射防止膜１５の上表面に向かって見たとき、反射される赤色光が見えない。その理由は、エネルギー保存により、入射光のうち、すべての赤色光が保護層１３を透過したからである。しかし、光反射防止膜１５の厚さが赤色光の波長の１／４の奇数倍であるとき、紫色光に対して反射防止することができない場合があります。
【００３７】
一実施形態において、光反射防止膜１５は、少なくとも２層のサブフィルム層を含むことができ、少なくとも２層のサブフィルム層は、それぞれの波長範囲が異なる光に対して反射防止する。これにより、より多くの周波数帯の光に対して反射防止することができる。以下、可視光の波長範囲が３８０〜７００ｎｍであり、光反射防止膜１５が３層のサブフィルム層を含むことを一例として説明する。光反射防止膜１５は、積層された第１のサブフィルム層、第２のサブフィルム層及び第３のサブフィルム層を含むことができる。本実施例において、フィルム層の厚さと波長との関係に基づいて、第１のサブフィルム層を波長が３８０〜４５０ｎｍである光に対して反射防止させ、第２のサブフィルム層を波長が４５１〜５５０ｎｍである光について反射防止させ、第３のサブフィルム層を波長が５５１〜７００ｎｍである光に対して反射防止させることができる。これにより、可視光のすべての周波数帯の光に対して反射防止させることができるので、可視光が表示画面の下方に位置する光学素子に進入される光のエネルギーと品質を向上させることができ、または光学素子から発射される可視光が表示画面を透過するエネルギーと品質を向上させることができる。ただし、本開示の実施例では例をあげ、上記数字は、本開示に何限定をしない。
【００３８】
一実施例において、図４に示すように、表示モジュール１７は、透明接着層１６をさらに含むことができる。透明接着層１６は、表示画面１２と保護層１３との間に位置する。透明接着層１６の材料は、ＯＣＡ（ＯｐｔｉＣａｌｌｙ  Ｃｌｅａｒ  Ａｄｈｅｓｉｖｅ、光学接着剤）であることができ、保護層１３と表示画面１２を接着して結合させることができる。
【００３９】
一実施例において、図５に示すように、透明接着層１６の屈折率と保護層１３の屈折率との差の値が０．１よりも大きい場合には、保護層１３と透明接着層１６の間に光反射防止膜１５を設置することができる。ここで、保護層１３の屈折率と光反射防止膜１５の屈折率との差の値が０．１より大きいことができ、透明接着層１６の屈折率と光反射防止膜１５の屈折率との差の値が０．１より大きいことができる。透明接着層１６の屈折率と保護層１３の屈折率との差の値が０．１より大きい場合には、入射光が透明接着層１６と保護層１３との間の境界面に進入されて反射される。したがって、透明接着層１６と保護層１３との間に光反射防止膜１５を設置し、表示モジュールの下方に位置する光学素子の機能を向上させることができる。
【００４０】
一例示的な実施形態において、保護層１３は柔軟性カバー膜であり、柔軟性カバー膜はポリイミド（ＰＩ）薄膜を含み、透明接着層１６の材料はＯＣＡある。ＰＩ薄膜の屈折率が１．６８より大きく、ＯＣＡの屈折率が１．４８であるので、透明接着層１６の屈折率と保護層１３の屈折率との差の値が０．２より大きく、また０．１よりも大きい。入射光が透明接着層１６と保護層１３との間の境界面に進入されて反射される。したがって、透明接着層１６と保護層１３との間に光反射防止膜１５を設置し、表示モジュールの下方に位置する光学素子の機能を向上させることができる。
【００４１】
ただし、保護層１３がガラスカバープレートであり、透明接着層１６の材料がＯＣＡの場合、ガラスカバープレートの屈折率が１．５であり、ＯＣＡの屈折率が約１．４８であるので、透明接着層１６の屈折率と保護層１３の屈折率との差の値が０．０２であり、０．１より小さい。入射光が透明接着層１６と保護層１３との間の境界面に進入されて反射されないことがあります。したがって、透明接着層１６と保護層１３との間に光反射防止膜１５を設置しなくてもよい。
【００４２】
一実施例において、図６に示すように、透明接着層１６の屈折率と表示画面１２の屈折率との差の値が０．１より大きい場合には、表示画面１２と透明接着層１６との間には、光反射防止膜１５を設置することができる。ここで、透明接着層１６の屈折率と光反射防止膜１５の屈折率との差の値が０．１より大きいことができ、表示画面１２の屈折率と光反射防止膜１５の屈折率との差の値が０．１よりも大きいことができる。透明接着層１６の屈折率と表示画面１２の屈折率との差の値が０．１より大きい場合には、入射光が透明接着層１６と表示画面１２との間の境界面に進入されて反射される。したがって、透明接着層１６と表示画面１２との間に光反射防止膜１５を設置して、表示モジュールの下方に位置する光学素子の機能を向上させることができる。
【００４３】
一例示的な実施形態において、透明接着層１６の屈折率が１．５であり、表示画面１２の屈折率が１．７である場合には、透明接着層１６の屈折率と表示画面１２の屈折率との間の差の値が０．２であり、０．１より大きい。入射光が透明接着層１６と表示画面１２との間の境界面に進入されて反射される。したがって、透明接着層１６と表示画面１２との間に光反射防止膜１５を設置し、表示モジュールの下方に位置する光学素子の機能を向上させることができる。
【００４４】
一実施例において、図７に示すように、表示画面１２は、少なくとも２層の媒体層を含むことができる。光は媒体層で電波され、また媒体層を透過することができる。少なくとも２層の媒体層中各層の媒体層は、周波数が同じ光の屈折率に対して同じである又は異なることができる。少なくとも２層の媒体層のうち、屈折率の差の値が０．１より大きい、互いに隣接する２層の媒体層の間に光反射防止膜１５を設置することができる。入射光が屈折率の差の値が０．１より大きい、互いに隣接する２層の媒体層の間の境界面に進入されて反射される。したがって、屈折率の差の値が０．１よりも大きい、互いに隣接する２層の媒体層の間に光反射防止膜１５を設置して、表示モジュールの下方に位置する光学素子の機能を向上させることができる。
【００４５】
以下、表示画面１２が２階の媒体層を含むことを一例として説明する。図７に示すように、表示画面１２は、第１の媒体層１２１と第２の媒体層１２２を含み、第１の媒体層１２１の屈折率と第２の媒体層１２２の屈折率の差が０．１より大きい。入射光が第１の媒体層１２１と第２の媒体層１２２との間の境界面に進入されて反射される。したがって、第１の媒体層１２１と第２の媒体層１２２との間に光反射防止膜１５を設置して、表示モジュールの下方に位置する光学素子の機能を向上させることができる。
【００４６】
一実施形態において、光反射防止膜１５の面積は、光学素子１１が表示モジュール１７に投影した面積と同じである。もちろん、光反射防止膜１５の面積は、光学素子１１が表示モジュール１７に投影した面積より大きくてもよい。
【００４７】
一実施形態において、光反射防止膜の材料は、フッ化カルシウム（ＣａｌＣｉｕｍｆｌｕｏｒｉｄｅ）、酸化チタン（ＴｉｔａＮｉｕｍ  Ｄｉｏｘｉｄｅ）、硫化鉛（Ｌｅａｄ  ｓｕｌｆｉｄｅ）、セレン化鉛（ｌｅａｄ  ｓｅｌｅＮｉｄｅ）、セラミック赤外線反射防止フィルム（ＣｅｒａｍｉＣｓ  ＩＮｆｒｒｅｄ  ＡＮｔｉｒｅｆｌｅｅｔｉｖｅ  Ｆｉｌｍｓ）またはビニルシルセスキオキサンハイブリッドフィルム（ｖｉＮｙｌ−ｓｉｌｓｅｓＱｕｉｏｘａＮｅｓ  ｈｙｂｒｉｄ  ｆｉｌｍ）を含むことがありますが、これに限定されない。
【００４８】
最後に、上記の光反射防止膜及び反射防止する原理について説明する。
【００４９】
まず、ただし、光は粒子と波動の二重性（ｗａｖｅ−ｐａｒｔｉＣｌｅ  ｄｕａｌｉｔｙ）を備える。つまり、ミクロ的では、光を一種の波動と見ることができ、または光を一群の高速で運動する粒子と見ることができる（注意すべきことは、ここで光を簡単な波動と簡単な粒子として理解してはならない）。上記波動と粒子両方はミクロ的な側面で言うものであり、アインシュタインが研究を通じて光子と呼ばれた。赤色光の波長は、０．７５０μｍであり、紫色光の波長は０．４００μｍである。一つの光子の質量は、６．６３Ｅ−３４  ｋｇである。したがって、上記の波動と粒子は、私たちが想像する巨視的な波動と粒子ではない。光反射防止膜の原理は、光を一種の波動に考慮したものである。その理由は、光波は機械波のように干渉する性質を持っているからである。光反射防止膜は、光の干渉原理を用いて、膜の全表面と後表面で反射される光が干渉を発生して、反射領域の光度を変化させて透過領域の光度を変化させるものである。
【００５０】
光学機器において、光学素子の表面からの反射は、光学素子の光透過エネルギーにたいして影響を与えるのみならず、これらの反射光は、機器で迷光（ｓｔｒａｙ  ｌｉｇｈｔ）を形成して光学機器のイメージング品質に対して影響を与えることができる。これらの問題を解決するために、一般的に光学素子の表面に一定の厚さの単層または複数層の膜を膜する。その目的は、光学素子の表面の反射光を減少させるものである。これらの膜を光反射防止膜（または反射防止フィルム）とする。
【００５１】
その後、エネルギー保存の観点から光反射防止膜の反射防止する原理について分析する。一般的に、光が一定の材料の光学素子の表面に進入した場合には、発生した反射光と透過光エネルギーは確定される。吸収や散乱など他の要素を考慮しない状況では、反射光と透過光の総エネルギーは、入射光のエネルギーと同じである。つまり、エネルギー保存則を満足する。光学素子の表面に光反射防止膜を膜した後、光反射防止膜の吸収や散乱などの他の要素を考慮しない状況では、反射光と透過光と入射光は依然としてエネルギー保存則を満足する。膜を膜することは反射光と透過光のエネルギーを再分配する役割をする。光反射防止膜において、分配した結果、反射光のエネルギーを減少させて透過光のエネルギーを増大させる。これにより、光反射防止膜の作用は、光学素子の表面の反射光と透過光のエネルギーを再分配して、分配した結果は、透過光のエネルギーが増大して反射光のエネルギーが低減される。したがって、光反射防止膜のこれらの特性により、反射領域の光度を変化させて透過領域の光度を変化させることができる。
【００５２】
総体的に見ると、光反射防止膜が透過光の光度を増大させる本質は、電磁波である光波が伝播される過程の中で、異なる媒体の境界面では、境界の条件が異なるため、そのエネルギーの分布が変化する。単層の光反射防止膜において、光反射防止膜の両側の媒体が異なる場合には、光反射防止膜の厚さが１／４波長の奇数倍であり且つ光反射防止膜の屈折率ｎ＝（ｎ１＊ｎ２）１／２であれば、すべての入射光が媒体２を透過する。ここで、ｎ１、ｎ２それぞれは媒体１、媒体２の屈折率であり、媒体１、媒体２は、光反射防止膜両側の媒体であり、光は順番に媒体１、光反射防止膜、媒体２を透過する。例えば、一般的に光学レンズ（媒体２）は空気（媒体１）の中で使用される。一般的な屈折率が１．５左右の光学レンズにおいて、単層の光反射防止膜が１００％の反射防止する効果に達するために、ｎ１＝１．２３または１．２３に近くして、光反射防止膜の厚さを（２ｋ＋１）倍の１／４の波長になるようにする。ここで、ｋは負でない整数である。
【００５３】
当該分野の技術者が明細書を考慮して、開示された内容を実践した後、本開示の他の実施案を容易に考えることができる。本出願は、本開示の任意の変形、用途または適応性の変化をカバーし、これらの変形、用途または適応性の変化は、本開示の一般的な原理に応じて、本開示では開示されていない当該分野の公知常識や慣用技術手段を含んでいる。明細書及び実施例は例示的なものであり、本開示の真の範囲と精神は添付されている請求範囲で示す。
【００５４】
理解すべきことは、本開示は、上記の内容及び図面に示された構造に限定されず、その範囲を逸脱しない限り、各種の変更及び変更を行うことができる。本開示の範囲は、添付されている特許請求の範囲のみによって限定される。
【図１】
2021509964.tif 000003
【図２】
2021509964.tif 000004
【図３】
2021509964.tif 000005
【図４】
2021509964.tif 000006
【図５】
2021509964.tif 000007
【図６】
2021509964.tif 000008
【図７】
2021509964.tif 000009
【国際調査報告】
2021509964.tif 000010
2021509964.tif 000011
2021509964.tif 000012
2021509964.tif 000013